(57)【特許請求の範囲】
【請求項１】
中央部に遊技盤が臨む開口を設けて額縁状に形成される前面枠と、前記前面枠の開口をガラス扉枠と共に覆う上球皿部材とを備え、前記上球皿部材は一側縁の上下部を前記前面枠の一側に軸着して自在に開閉しかつ取り外し可能に設けられるようにしたパチンコ遊技機において、
前記前面枠の一側に上向の軸杆を設け、また前記上球皿部材の裏面に可動板を設け、前記可動板は可動しかつ可動することにより該可動板の一側縁下部が前記上球皿部材の一側縁から離れて外側へ引き出され、前記可動板の一側縁下部に差込口を一側に有しかつ前記軸杆が該差込口を介して横方向から嵌合し得る縦割軸筒部を設け、
前記可動板を可動してその一側縁下部の縦割軸筒部を前記上球皿部材の一側縁から離して外側へ引き出し、前記縦割軸筒部と上向の前記軸杆とを外側から見ながら合致させ、前記軸杆を前記縦割軸筒部に前記差込口を介してその横方向から嵌入し、前記縦割軸筒部と前記軸杆とにより前記下部の軸着部が構成されることを特徴とするパチンコ遊技機。
【請求項２】
中央部に遊技盤が臨む開口を設けて額縁状に形成される前面枠と、前記前面枠の開口をガラス扉枠と共に覆う前面板とを備え、前記前面板の前面に上球皿部材と下球皿部材とが上下に一体に装着され、前記前面板は一側縁の上下部を前記前面枠の一側に軸着して自在に開閉しかつ取り外し可能に設けられるようにしたパチンコ遊技機において、
前記前面枠の一側に上向の軸杆を設け、また前記前面板の裏面に可動板を設け、前記可動板は可動しかつ可動することにより該可動板の一側縁下部が前記前面板の一側縁から離れて外側へ引き出され、前記可動板の一側縁下部に差込口を一側に有しかつ前記軸杆が該差込口を介して横方向から嵌合し得る縦割軸筒部を設け、
前記可動板を可動してその一側縁下部の縦割軸筒部を前記前面板の一側縁から離して外側へ引き出し、前記縦割軸筒部と上向の前記軸杆とを外側から見ながら合致させ、前記軸杆を前記縦割軸筒部に前記差込口を介してその横方向から嵌入し、前記縦割軸筒部と前記軸杆とにより前記下部の軸着部が構成されることを特徴とするパチンコ遊技機。
【請求項３】
中央部に遊技盤が臨む開口を設けて額縁状に形成される前面枠と、前記前面枠の開口をガラス扉枠と共に覆う上球皿部材と、前記上球皿部材の下方であって前記前面枠の前面に装着される下球皿部材とを備え、前記上球皿部材は一側縁の上下部を前記前面枠の一側と前記下球皿部材の一側上面にそれぞれ軸着して自在に開閉しかつ取り外し可能に設けられるようにしたパチンコ遊技機において、
前記下球皿部材の一側上面に上向の軸杆を設け、また前記上球皿部材の裏面に可動板を設け、前記可動板は可動しかつ可動することにより該可動板の一側縁下部が前記上球皿部材の一側縁から離れて外側へ引き出され、前記可動板の一側縁下部に差込口を一側に有しかつ前記軸杆が該差込口を介して横方向から嵌合し得る縦割軸筒部を設け、
前記可動板を可動してその一側縁下部の縦割軸筒部を前記上球皿部材の一側縁から離して外側へ引き出し、前記縦割軸筒部と上向の前記軸杆とを外側から見ながら合致させ、前記軸杆を前記縦割軸筒部に前記差込口を介してその横方向から嵌入し、前記縦割軸筒部と前記軸杆とにより前記下部の軸着部が構成されることを特徴とするパチンコ遊技機。
【請求項４】
前記可動板は前記上球皿部材の裏面に該上球皿部材の裏面と平行な方向に沿って回動するように軸着され、前記可動板に前記軸支部を中心とする円弧状のガイド溝を開設すると共に該ガイド溝の両端側縁にそれぞれ切欠を設け、前記上球皿部材の裏面から後方へ突出される弾力性を有するガイド片の外側面に前記切欠に係合する突子を設け、前記突子を前記ガイド溝の切欠に係合させて前記可動板が外側へ引き出された状態では該可動板が無用に回動しないように保持される請求項１乃至３のうちのいずれか一つに記載のパチンコ遊技機。
【請求項５】
前記可動板は前記上球皿部材の裏面に該上球皿部材の裏面と平行であって横方向へスライド動作するように設けられ、前記可動板に弾性が付与された摘み片を設けると共に該摘み片の前面に係合ピンを突設し、前記上球皿部材の裏面に横方向に沿って前記係合ピンが係合する一対の係合孔を設け、前記係合ピンを前記係合孔に係合させて前記可動板が外側へ引き出された状態では該可動板が無用に動かないように保持される請求項１乃至３のうちのいずれか一つに記載のパチンコ遊技機。
【請求項６】
前記可動板の一側縁上部と前記前面枠の一側に軸杆または該軸杆が挿通される軸支孔のいずれか一方を設けると共に該軸杆と該軸支孔とにより上部の軸着部が構成されるようにした請求項１乃至５のうちのいずれか一つに記載のパチンコ遊技機。
【発明の詳細な説明】
【０００１】
【発明の属する技術分野】
本発明は、パチンコ遊技機の前面に打球発射部へ供給されるパチンコ球を貯留するための上球皿部材を容易に案内して取り付けられるようにしたパチンコ遊技機に関するものである。
【０００２】
【従来の技術】
従来、パチンコ遊技機は、例えば図１８に示すようにその前側に中央部に遊技盤１０１が臨む方形状の開口１０２を設けて額縁状に形成された前面枠１０３が配設され、該前面枠１０３には前記開口１０２を覆うようにしてガラス扉枠１０４および打球発射部へ供給されるパチンコ球を貯留するための上球皿部材１０５が装着されている。該上球皿部材１０５には、上球皿が取着される前板１０６の一側縁上部に軸支孔１０７が設けられ、また一側縁下部に上下に可動しかつ常態で引張スプリング１０８の引張力により付勢されて前記前板１０６の下端面から下方へ突出する軸杆１０９が設けられている。
一方、前記開口１０２の内周縁には縁金枠１１０が周設され、その開口側縁１１０ａの所定位置に軸支孔１１１が開設された水平な軸支板１１２が設けられ、また開口下縁１１０ｂの上面には軸孔１１３が設けられている。
【０００３】
そこで、パチンコ遊技機の組立時、またはパチンコホールでの稼動中に故障による点検のため一担取り外した上球皿部材１０５を取り付けるには、該上球皿部材１０５を前記開口１０２の下部前面に配置し、まず、その上部の軸支孔１０７に前記ガラス扉枠１０４の一側下端面から下方へ突設され、前記軸支孔１１１に嵌入された軸杆１１４を嵌入する。次に、下部の軸杆１０９を引張スプリング１０８の引張力に抗して引き上げておき、作業者の感に頼って軸杆１０９を放し該軸杆１０９を軸孔１１３に嵌入するようにしている。
【０００４】
【発明が解決しようとする課題】
ところが、前記上球皿部材１０５の取り付けにあっては、軸支板１１２から下方へ突出する軸杆１１４が外側から視認できることから軸支孔１０７への嵌入は容易にできるものの、開口下縁１１０ｂの軸孔１１３は上球皿部材１０５によって隠れて外側からほとんど見えず、しかも軸孔１１３が縁金枠１１０の前端縁側に寄せて設けられていることから、作業者の感に頼るというものの、軸杆１０９を放したとき該軸杆１０９が軸孔１１３に嵌入せずに縁金枠１１０の前端縁の前側に突出して外れてしまうといった事態が起き、このため何度も同じ動作を繰り返してやっと嵌入できることとなり、作業が面倒であって時間も掛かり、引いては作業の迅速化に支障を来す一要因になっていた。これは、特に軸孔１１３に対して軸杆１０９をその軸方向にスライドさせて嵌入させるといった構造に難点が有る。
そこで、本発明は上記課題を解決すべくなされたもので、前面枠一側と上球皿部材の一側縁下部との軸着部を外側から見易くすると共に軸着動作を容易にすることにより、上球皿部材が時間を掛けずに取り付けられ作業の迅速化を高めることができるパチンコ遊技機を提供することを目的とするものである。
【０００５】
【課題を解決するための手段】
かかる目的を達成するため、本発明に係るパチンコ遊技機は、中央部に遊技盤が臨む開口を設けて額縁状に形成される前面枠と、該前面枠の開口をガラス扉枠と共に覆う上球皿部材とを備え、該上球皿部材は一側縁の上下部を前面枠の一側に軸着して自在に開閉しかつ取り外し可能に設けられるようにしたパチンコ遊技機において、前記前面枠の一側に上向の軸杆を設け、また前記上球皿部材の一側裏面に可動しかつ可動することにより一側縁下部が上球皿部材の一側縁から外側へ離される可動板を設け、前記一側縁下部に前記軸杆が横方向から嵌合し得る縦割軸筒部を設け、該縦割軸筒部と前記軸杆とにより前記下部の軸着部が構成されるようにした。
【０００６】
そこで、前面枠に上球皿部材を取り付ける場合、まず上球皿部材の裏面に設けられる可動板を可動させ、その一側縁下部を上球皿部材の一側縁から離す。これにより、縦割軸筒部が上球皿部材の一側縁から離れ、また上球皿部材が前記軸杆から離れて、これらが外側から見え易くなる。そして、上球皿部材の一側縁上部と前面枠の一側とを軸着し、次に前面枠の一側に立設された上向の軸杆を前記縦割軸筒部にその横方向から嵌入し、この状態で上球皿部材を押し下げ可動板を上球皿部材の裏面に戻して上球皿部材が自在に開閉できるように取り付けられる。前記可動板の可動動作としては、該可動板の裏面と平行な方向であって支軸を中心とする回動動作、または横方向へのスライド動作、更には可動板の裏面に直交する方向に回動する回動動作のいずれも可能である。
【０００７】
また、可動板の一側縁上部と前面枠の一側とに軸杆または該軸杆が挿通される軸支孔とを設け、該軸支孔と前記軸杆とにより上部の軸着部が構成されるようにしても良い。
【０００８】
次に、本発明に係るパチンコ遊技機は、中央部に遊技盤が臨む開口を設けて額縁状に形成される前面枠と、該前面枠の開口をガラス扉枠と共に覆う上球皿部材とを備え、該上球皿部材は一側縁の上下部を前面枠の一側に軸着して自在に開閉しかつ取り外し可能に設けられるようにしたパチンコ遊技機において、前記上球皿部材の裏面に可動しかつ可動することにより一側縁下部が上球皿部材の一側縁から外側へ離れる可動板を設け、前記一側縁下部に下方へ突出する軸杆を設け、また前記前面枠の一側に前記軸杆が横方向から嵌合し得る軸保持部を設け、該軸保持部と前記軸杆とにより前記下部の軸着部が構成されるようにした。この場合も、軸杆が上球皿部材の一側縁から離れ、また前記軸保持部から上球皿部材が離れて、これらが外側に突出して見え易くなる。そして、上球皿部材の一側縁上部と前面枠の一側とを軸着し、次に軸杆を前面枠の一側に設けられた軸保持部にその横方向から嵌合し、この状態で前記と同様に上球皿部材を押し下げ可動板を上球皿部材の裏面に戻して上球皿部材が自在に開閉できるように取り付けられる。前記軸保持部としては、例えば前面枠の開口下縁の上面に縦長の誘導溝が形成されるように平面略Ｕ字型の突条を設けると共にその前端部に軸杆を保持する保持筒部を有し、また突条の一側壁を切欠いて軸杆が横から嵌合し易くした構成のものが選ばれる。
【０００９】
この場合も、可動板の一側縁上部と前面枠の一側とに軸杆または該軸杆が挿通される軸支孔を設け、該軸支孔と前記軸杆とにより上部の軸着部が構成されるようにしても良い。
【００１０】
更に、本発明に係るパチンコ遊技機は、中央部に遊技盤が臨む開口を設けて額縁状に形成される前面枠と、該前面枠の開口をガラス扉枠と共に覆う上球皿部材と、該上球皿部材の下方であって前面枠の前面に装着される下球皿部材とを備え、前記上球皿部材は一側縁の上下部を前面枠の一側と下球皿部材の一側上面にそれぞれ軸着して自在に開閉しかつ取り外し可能に設けられるようにしたパチンコ遊技機において、前記下球皿部材の一側上面に上向の軸杆を設け、また前記上球皿部材の裏面に可動しかつ可動することにより一側縁下部が上球皿部材の一側縁から外側へ離れる可動板を設け、前記一側縁下部に前記軸杆が横方向から嵌合し得る縦割軸筒部を設け、該縦割軸筒部と前記軸杆とにより前記下部の軸着部が構成されるようにした。
【００１１】
この場合も、可動板の一側縁上部と前面枠の一側とに軸杆または該軸杆が挿通される軸支孔を設け、該軸支孔と前記軸杆とにより上部の軸着部が構成されるようにしても良い。
【００１２】
更にまた、本発明に係るパチンコ遊技機は、中央部に遊技盤が臨む開口を設けて額縁状に形成される前面枠と、該前面枠の開口をガラス扉枠と共に覆う上球皿部材と、該上球皿部材の下方であって前面枠の前面に装着される下球皿部材とを備え、前記上球皿部材は一側縁の上下部を前面枠の一側と下球皿部材の一側上面にそれぞれ軸着して自在に開閉しかつ取り外し可能に設けられるようにしたパチンコ遊技機において、前記上球皿部材の裏面に可動しかつ可動することにより一側縁下部が上球皿部材の一側縁から外側へ離れる可動板を設け、前記一側縁下部に下方へ突出する軸杆を設け、また前記下球皿部材の一側上面に前記軸杆が横方向から嵌合し得る軸保持部を設け、該軸保持部と前記軸杆とにより前記下部の軸着部が構成されるようにした。
【００１３】
この場合も、可動板の一側縁上部と前面枠の一側とに軸杆または該軸杆が挿通される軸支孔を設け、該軸支孔と前記軸杆とにより上部の軸着部が構成されるようにしても良い。
【００１４】
【発明の実施の形態】
以下、本発明に係るパチンコ遊技機の第１実施の形態を図面に基づき説明する。図１は本発明が適用されるパチンコ遊技機の正面図である。図において、１は機枠であり、該機枠１の前面に中央部に方形状の開口２を設けて額縁状に形成される前面枠３が開閉自在に装着されている。該前面枠３の裏側に前記開口２に臨む遊技盤４が配設され、また前記前面枠３の開口２には該開口２を覆うように上下に配置されるガラス扉枠５および上球皿部材６がそれぞれ装着されている。これらガラス扉枠５および上球皿部材６は前記開口２の一側に開閉自在に軸着され、しかも取り外し可能に設けられている。前記ガラス扉枠５に遊技盤４の前面を覆うガラス板７が嵌着され、また上球皿部材６の前面には打球発射部（図示せず。）に供給されるパチンコ球を貯留するための上球皿８が設けられている。また、前記前面枠３の前面下部に前記上球皿８から溢れるパチンコ球を貯留するための下球皿部材９が装着されている。１０はその一側で前面枠３の前面に装着される操作ハンドルである。
【００１５】
前記前面枠３の開口２の内周縁には縁金枠１１が周設され、図２に示すようにその一側である開口側縁１１ａの所定位置に軸孔１２を設けた水平な軸支板１３が取着され、該軸孔１２に前記ガラス扉枠５の一側下端面から下方へ突出する軸杆１４が上方から嵌入される。また、該軸杆１４と同一軸線上であって前記開口下縁１１ｂの上面に上向の軸杆１５が設けられている。
【００１６】
一方、前記上球皿部材６は合成樹脂製からなり、横長方形状の取付板１６の前面に上球皿８が取着され、更にその前面をカバー体１７で覆うようにしており、これらはいずれも取付板１６の裏側からビス止めすることにより取り付けられる。取付板１６の一側の上端角部に金属製の軸承板１８がビス１９止めされ、該軸承板１８の外側部、すなわち上球皿部材６の一側縁上部に位置して前記軸支板１３の軸杆１４が挿通される軸支孔２０が設けられている。
【００１７】
しかして、前記取付板１６の一側裏面に上球皿部材６の下部を軸着するための金属製の可動板２１が装着されている。該可動板２１は図３に示すように上部を取付板１６の裏面に螺着された軸ピン２２により軸支され、取付板１６の裏面と平行な方向に回動しかつ回動することにより一側縁下部２３ｂが取付板１６の一側縁から離れ外側へ引き出されるようになっている。前記可動板２１には前記軸ピン２２を中心とする円弧状のガイド溝２４が開設されると共に該ガイド溝２４内にカバー体１７に一体に設けられ取付板１６の裏面から後方へ突出される一対のガイド片２５，２５が介装される。これらガイド片２５は弾力性を有し、各ガイド片２５の外側面に前記ガイド溝２４の両端側縁に設けた切欠２６，２６に係合し得る突子２７，２７が設けられている。そこで、可動板２１が図２の実線位置と回動した鎖線位置にあるとき、前記各突子２７が切欠２６に係合して可動板２１が無用に回動しないように仮保持される。
【００１８】
前記可動板２１の一側縁下部２３ｂには、その外側に図２，図３に示すように可動板２１を屈曲形成して一側に差込口２９を有する縦割軸筒部２８が設けられ、該差込口２９を介して前記上向の軸杆１５が横方向から嵌合し得るようになっている。前記縦割軸筒部２８は上下位置を違えた囲壁部２８ａ，２８ｂによって形成されているが図４に示すように上下同位置で囲壁部２８ａ，２８ｂを形成するようにしても良い。
【００１９】
そこで、パチンコ遊技機の組立時、またはパチンコホールでの稼動中に故障による点検のため一担取り外した上球皿部材６を取り付けるには、図５実線に示すように両ガイド片２５，２５を挟んで切欠２６と突子２７との係合を解き、可動板２１を回動してその一側縁下部２３ｂの縦割軸筒部２８を上球皿部材６の一側縁から離して外側へ引き出す。このとき、各突子２７が他方の各切欠２６に係合して可動板２１の無用な動作が防止される。そして、上球皿部材６を前面枠３の開口２の下部前面に開いた状態で配置し、上球皿部材６の一側縁上部に設けられた軸支孔２０に軸支板１３から下方へ突出する下向の軸杆１４を嵌入する。次に、図５鎖線に示すように縦割軸筒部２８と上向の軸杆１５とを外側から見ながら合致させ、差込口２９を介して縦割軸筒部２８に軸杆１５をその横方向から嵌入し、この状態で上球皿部材６を押し上げ可動板２１を上球皿部材６の裏面に戻して上球皿部材６が自在に開閉できるように取り付けられる。このとき、前記各切欠２６と各突子２７は自動的に係合が外れる。このため、各切欠２６の一側に突子２７が外れ易いようにテーパ３０を設けることが好ましい。このように、可動板２１を回動させることにより軸杆１５と縦割軸筒部２８とが外側から見易く、しかも軸杆１５が縦割軸筒部２８にその横方向から嵌入できるので、嵌入動作がスムーズで容易に行なえる。
【００２０】
次に順に他の実施の形態を説明するが、第１実施の形態と同一部位は同一番号を付すことによって説明は省略する。
図６，図７は第２実施の形態に係り、可動板を取付板１３の裏面と平行であって横方向へスライド動作させるようにしたものである。すなわち、可動板２１ａは金属製からなり横長方形状に形成され、所定位置に上下一対の横長のガイド溝２４ａ，２４ａが開設されている。該各ガイド溝２４ａ，２４ａにはカバー体１７に一体に設けられ取付板１６の裏側に突設される支持筒３１が介装される。該各支持筒３１の先端にガイド溝２４ａより広幅の頭部を有するビス３２が螺合されている。また、可動板２１ａの他側に上下一対のスリット３２，３２に挟まれて弾性が付与された摘み片３４が一体に設けられ、該摘み片３４の前面に係合ピン３５が突設されている。３６ａ，３６ｂは、可動板２１ａが図６実線の位置と鎖線の位置にあるとき、前記係合ピン３５が係合して可動板２１ａの無用な動きを止めるための係合孔である。そして、軸支板２１ａの一側縁の下端角部２３ｂに縦割軸筒部２８が設けられる。
【００２１】
そこで、図６，図７実線に示すように可動板２１ｂが取付板１６の裏面に配置されているときは、前記係合ピン３５が取付板１６裏面に設けられた一方の係合孔３６ａに嵌入している。そして、前記摘み片３４を摘んで起し押すことにより、前記嵌合が外れ可動板２１ａが横方向にスライドし、一側縁下部２３ｂが上球皿部材６の一側縁から外方へ引き出される。このとき、前記係合ピン３５が他方の係合孔３６ｂに嵌入して可動板２１ａが仮保持される。このように構成される上球皿部材６も本実施の形態と同様にして前面枠３に取り付けられる。なお、前記ビス３２は、例えば上球皿８とカバー体１７とを取付板１６に取り付けるためのビスとして併用すれば構造が簡素化され、作業の簡易化・製造コストの低廉が図られる。
【００２２】
図８は第３実施の形態に係り、可動板２１ｂの一側縁上部２３ａに軸支孔２０を設けるようにしたものである。すなわち、該可動板２１ｂは第１実施の形態と同様に回動し、該可動板２１ｂの一側縁上部２３ａに前面枠３の一側に設けられた下方へ突出する軸杆１４が挿通される軸支孔２０が設けられている。このため、可動板２１ｂは第１実施の形態のものより上方に大きく形成され、軸支孔２０も上部に設けられている。この上球皿部材６も第１の実施の形態と同様にして前面枠３に取り付けられる。
【００２３】
図９は第４実施の形態に係り、この場合も可動板２１ｃの一側縁上部２３ａに軸支孔２０を設けるようにしたものである。すなわち、該可動板２１ｃは第２実施の形態と同様に横方向へスライドし、該可動板２１ｃの一側縁上部２３ａに前面枠３の一側に設けられた下方へ突出する軸杆１４が挿通される軸支孔２０が設けられている。このため、可動板２１ｃは第２実施の形態のものよりも上方に大きく形成され、軸支孔２０も上部に設けられている。この上球皿部材６も第２の実施の形態と同様にして前面枠３に取り付けられる。
【００２４】
図１０，図１１は第５実施の形態に係り、この場合は、第１実施の形態と同じ形状の可動板２１ｄにおいて、一側縁下部２３ｂに縦割軸筒部２８の替りに下方へ突出する軸杆３７を設けるようにしている。一方、前面枠３側には、その一側の開口下縁１１ｂに前記軸杆３７が横方向から嵌合し得る軸保持部３８が設けられる。更に、詳しくは、前記開口下縁１１ｂの上面に縦長の誘導溝３９が形成されるように平面略Ｕ字型の突条４０を設けると共にその前端部に前記軸杆３７を保持する保持部４０ａを有し、また前記突条４０の一側壁を切欠いて切除部４１を設け、軸杆３７が切除部４１を介し横から誘導溝３９へ嵌入し易くしている。
【００２５】
そして、上球皿部材６を前面枠３の開口２の下部前面に開いた状態で配置し、上球皿部材６の一側縁上部に設けられた軸支孔２０に軸支板１３から下方へ突出する軸杆１４を嵌入する。次に、図１１鎖線に示すように可動板２１ｄの軸杆３７と軸保持部３８を外側から見ながら、軸杆３７を切除部４１に臨ませ、該切除部４１を介して軸杆３７を誘導溝３９、更には保持部４０ａに導く。この状態で上球皿部材６を押し下げ可動板２１ｄを上球皿部材６の裏側に戻して上球皿部材６が自在に開閉できるように取り付けられる。
【００２６】
第５実施の形態の軸保持部３８はその形状に限定されることはなく、例えば図１２（ａ）に示すように平面縦長の楕円形状をなす突条４０を設け、該突条４０の上面後側を後方へ下傾するように形成した軸保持部３８ａ、図１２（ｂ）に示すように平面縦長のＵ字状をなす突条４０を設け、該突条４０の上面後側を後方へ下傾するように形成した軸保持部３８ｂ、図１２（ｃ）に示すように平面縦長のＶ字状をなす突条４０を設け、該突条４０の上面後側を後方へ下傾するように形成した軸保持部３８ｃなどであっても良い。図１２（ｂ）または図１２（ｃ）のように突条４０の後側が切除されたものにあっては、その切除部からも軸杆３７を誘導溝３９に導き易く、特に図１２（ｃ）のようにＶ字状に開いた突条４０ではその効果が大きい。
なお、図示は省略するが、前記第５実施の形態のように可動板２１ｄの一側縁下部に下方へ突出する軸杆３７を設け、前面枠３の開口下縁１１ｂに軸保持部３８を設けるようにした構成は前記第１ないし４実施の形態にも適用できる。
【００２７】
図１３，図１４は第６実施の形態に係り、上球皿部材６の一側下面と下球皿部材９の一側上面とが上下に重合するように形成されるパチンコ遊技機であって、第１実施の形態と同じ形状の可動板２１ｅの一側縁下部に縦割軸筒部２８を設けると共に前記下球皿部材９の一側上面９ａに上向の軸杆１５を設けた構成よりなる。このような構成であっても第１実施の形態と同様にして上球皿部材６を前面枠３に取り付けることができる。
【００２８】
図１５は第７実施の形態に係り、前記第６実施の形態に係るパチンコ遊技機であって、同実施の形態と同形状の可動板２１ｆの一側縁下部に下方へ突出する軸杆３７を設けると共に下球皿部材９の一側上面９ａに軸保持部３８を設けた構成よりなる。このような構成であっても第５実施の形態と同様にして上球皿部材６を前面枠３に取り付けることができる。
なお、図示は省略するが、前記第６・７実施の形態に係るパチンコ遊技機について前記第２ないし４実施の形態に係る可動板２１ａ〜２１ｃを適用することができる。
【００２９】
図１６，図１７は第８実施の形態に係る上球皿部材６であり、可動板２１ｇを取付板１３に対し直交する方向に回動し得るようにしたものである。すなわち、該可動板２１ｇの一側縁上部２３ａに軸支孔２０が設けられると共に一側縁下部２３ｂに縦割軸筒部２８が設けられている。そして、他側縁に軸挿通孔４２が設けられ、取付板１６裏面の上下部に設けられた一対の突片４３，４３からそれぞれ下方または上方へ突設される支持軸４４，４４が前記軸挿通孔４２に挿通されている。これにより、可動板２１ｇが前記支持軸４４，４４を中心として回動され、縦割軸筒部２８が上球皿部材６の一側縁から離れるようになっている。また、可動板２１ｇのほぼ中央に円透孔４５が開設され、該円透孔４５の内周縁の上下部に該円透孔４５と連なる縦溝４６，４６が設けられている。
【００３０】
一方、図１７に示すようにカバー体１７と一体に後方へ突出しかつ後端面に螺子孔４７を有する支持筒４８が設けられる。該支持筒４８の後端部は前記円透孔４５と対応位置し、取付板１６に開設された透孔４９に臨むようになっている。５０は、前記螺子孔４７にビス５１を螺合することにより前記円透孔４５を介して支持筒４８の後端面に回動自在に取着される円筒状のロック部材であり、前記ビス５１が挿通されるビス挿通孔５２を有すると共に外周に取付板１６側へ閉じた可動板２１ｇの裏面に当接し得る把手片５２，５２が設けられる。
【００３１】
前記ロック部材５０の各把手片５２は、該ロック部材５０を支持筒４８後端面に取着した状態で、可動板２１ｇの開閉動作に支障をきたさないようにその大きさが選ばれる。そこで、上球皿部材６を前面枠３に取り付けるときは、各縦溝４６，４６と把手片５２，５２を合致させた状態で可動板２１ｇを開き、第３・４実施の形態と同様にして前面枠３に取り付け、取り付けた後は、可動板２１ｇを取付板１６裏面側へ回動して閉め、両把手片５２，５２を回動して可動板２１ｇの裏面に当接して無用な回動をしないように保持する。この場合も、可動板２１ｇの一側縁下部が上球皿部材６の一側縁から離れるので、一側縁下部が外側から見易い。
なお、この第８実施の形態の可動板２１ｇの構造も前記第１ないし第７実施の形態の上球皿部材６に適用可能である。
【００３２】
また、以上説明した各実施の形態では、上球皿部材６または可動板２１ａ〜２１ｇの一側縁上部に軸支孔２０を設け、一方、前面枠３の一側に軸支板１３から下方へ突出する軸杆１４を設けたが、これら軸支孔２０と軸杆１４の取付位置を逆に設けるようにしても良い。
【００３３】
また、本発明にあっては、機枠の前面に前面枠が装着され、該前面枠の開口の一側に該開口を覆うガラス扉枠及び上球皿部材が開閉自在に装着されているパチンコ遊技機、および前面枠の一側に前記開口を覆うように装着され、かつ前面枠の前面の横幅方向の全域を覆うようにしたガラス扉枠および上球皿部材を備えたパチンコ遊技機についても適用可能である。また、前面枠の前面下部に前面板を開閉自在に装着し、該前面板の前面に上球皿部材と下球皿部材とが上下に一体に装着されたもの及び前面枠の取付構造についても本発明が適用可能である。
【００３４】
更に、前記上球皿部材は、詳細には、上球皿の前面をカバー体で覆っており、しかも該カバー体は前記上球皿の両側に張り出て、その裏側に取付板が取着された構成からなるが、この他に、取付板、所謂金属製の前板の前面に上球皿を装着したものなどについても本発明が適用可能であることは勿論である。
【００３５】
【発明の効果】
以上述べたように、本発明は遊技盤が臨む開口を設けた前面枠と、該前面枠の開口をガラス扉枠と共に覆う上球皿部材と、該上球皿部材の下方であって前面枠の前面に装着される下球皿部材とを備え、該上球皿部材は一側上下部を前面枠の一側または一側下部を下球皿部材の一側上面に軸着して自在に開閉しかつ取り外し可能に設けられるようにしたパチンコ遊技機において、前記前面枠の一側または下球皿部材の一側に上向の軸杆を立設し、また前記上球皿部材の裏面に可動しかつ可動することにより一側縁下部が上球皿部材の一側縁から外側へ離れる可動板を設け、前記一側縁下部に前記軸杆が横方向から嵌合し得る縦割軸筒部を設け、または一側縁下部に下方へ突出する軸杆を設け、また前記前面枠の一側または下球皿部材の一側に前記軸杆が横方向から嵌合し得る軸保持部を設けたので、いずれも上球皿部材の一側縁下部の縦割軸筒部または軸杆および上向の軸杆または軸保持部が外側から見え易く、しかも軸杆が縦割軸筒部または軸保持部にそれら横方向から嵌合でき、それら嵌合動作が極めて簡単かつ容易となり、手間が掛からず短時間で行なえる。これにより上球皿部材の取付作業が迅速に行なえるという効果を有する。
【図面の簡単な説明】
【図１】第１実施の形態に係るパチンコ遊技機の正面図。
【図２】同上球皿部材を取り外して示すパチンコ遊技機の要部の斜視図。
【図３】同要部の平面断面図。
【図４】同形状の異なる縦割軸筒部を用いた要部の平面断面図。
【図５】同作用を示す要部の側面断面図。
【図６】第２実施の形態に係る上球皿部材を取り外して示すパチンコ遊技機の要部の斜視図。
【図７】同要部の平面断面図。
【図８】第３実施の形態に係る上球皿部材を取り外して示すパチンコ遊技機の要部の斜視図。
【図９】第４実施の形態に係る上球皿部材を取り外して示すパチンコ遊技機の要部の斜視図。
【図１０】第５実施の形態に係る上球皿部材を取り外して示すパチンコ遊技機の要部の斜視図。
【図１１】同作用を示す要部の側面断面図。
【図１２】他の形状の軸保持部の斜視図。
【図１３】第６実施の形態に係るパチンコ遊技機の正面図。
【図１４】同上球皿部材を取り外して示すパチンコ遊技機の要部の斜視図。
【図１５】第７実施の形態に係る上球皿部材を取り外して示すパチンコ遊技機の要部の斜視図。
【図１６】第８実施の形態に係る上球皿部材の裏面斜視図。
【図１７】同要部の平面断面図。
【図１８】上球皿部材を取り外して示す従来のパチンコ遊技機の要部の斜視図。
【符号の説明】
２                          開口
３                          前面枠
４                          遊技盤
５                          ガラス扉枠
６                          上球皿部材
９                          下球皿部材
１４                        軸杆
１５                        軸杆
２０                        軸支孔
２１，２１ａ〜２１ｆ        可動板
２３ａ                      一側縁上部
２３ｂ                      一側縁下部
２８                        縦割軸筒部
３７                        軸杆
３８，３８ａ〜３８ｃ        軸保持部
【図１】
0004344414.tif 000002
【図２】
0004344414.tif 000003
【図３】
0004344414.tif 000004
【図４】
0004344414.tif 000005
【図５】
0004344414.tif 000006
【図６】
0004344414.tif 000007
【図７】
0004344414.tif 000008
【図８】
0004344414.tif 000009
【図９】
0004344414.tif 000010
【図１０】
0004344414.tif 000011
【図１１】
0004344414.tif 000012
【図１２】
0004344414.tif 000013
【図１３】
0004344414.tif 000014
【図１４】
0004344414.tif 000015
【図１５】
0004344414.tif 000016
【図１６】
0004344414.tif 000017
【図１７】
0004344414.tif 000018
【図１８】
0004344414.tif 000019